(57)【要約】【課題】  ヘッド部と肌との間に生じる摩擦を抑制することができ、肌を傷めてしまう虞のない超音波美容器を提供する。【解決手段】  本発明の超音波美容器１００は、肌に接触して肌に超音波を伝えるヘッド部１１０を備える。このヘッド部１１０は、肌に沿って転がり回転可能に設けられている。【選択図】  図１
2005211202.tif 000002
【特許請求の範囲】
【請求項１】
肌に接触して肌に超音波を伝えるヘッド部を備える超音波美容器であって、
上記ヘッド部は、肌に沿って転がり回転可能に設けられてなる
超音波美容器。
【請求項２】
請求項１に記載の超音波美容器であって、
前記ヘッド部は、その軸線周りに回転可能としてなる
超音波美容器。
【請求項３】
請求項２に記載の超音波美容器であって、
前記ヘッド部は、
外周面をなし、肌に接触する外側部材と、
上記外側部材の内側に位置し、上記外側部材を超音波振動させる超音波振動子と、を備える
超音波美容器。
【請求項４】
請求項３に記載の超音波美容器であって、
前記超音波振動子は、円筒形状を有する圧電セラミック体であり、
前記外側部材は、円筒形状を有し、上記圧電セラミック体の外周を被覆してなる
超音波美容器。
【請求項５】
請求項３に記載の超音波美容器であって、
前記外側部材は、筒形状の筒状外側部材であり、
前記超音波振動子は、上記筒状外側部材の内周面に対し、前記軸線周りに分配して固着してなる複数の圧電セラミック板である
超音波美容器。
【請求項６】
請求項５に記載の超音波美容器であって、
前記筒状外側部材の内周面は、前記軸線周りに形成された複数の平面部を有し、
前記圧電セラミック板は、平板形状を有し、上記筒状外側部材の内周面のうち上記平面部に固着されてなる
超音波美容器。
【請求項７】
請求項３〜請求項６のいずれか一項に記載の超音波美容器であって、
前記ヘッド部は、前記軸線の位置に、前記外側部材及び前記超音波振動子から上記軸線方向外側に突出して設けられた回転軸部材を有し、
上記回転軸部材は、
導体からなり、上記軸線方向のうち第１軸線方向に突出する第１回転軸部材と、
導体からなり、上記第１回転軸部材と電気的に絶縁され、上記第１軸線方向とは逆方向の第２軸線方向に突出する第２回転軸部材と、を含み、
上記第１回転軸部材は、前記超音波振動子に設けられた一方の電極と接続し、
上記第２回転軸部材は、上記超音波振動子に設けられた他方の電極と接続してなる
超音波美容器。
【発明の詳細な説明】
【技術分野】
【０００１】
本発明は、超音波美容器に関する。
【背景技術】
【０００２】
従来より、超音波美容器として、様々なものが提案されている（特許文献１参照）。
【特許文献１】特開平１１−３７４号公報
【０００３】
このような超音波美容器は、発振装置の出力で超音波振動子を駆動させた状態で、プローブヘッド（ヘッド部）を肌に接触させつつ肌の表面に沿って移動させるようにして用いられる。このようにして、肌を超音波振動させることにより、美肌効果、美容効果を期待することができる。
【発明の開示】
【発明が解決しようとする課題】
【０００４】
ところで、特許文献１などの超音波美容器は、肌と接触するプローブヘッド（ヘッド部）が、略円盤形状（略円筒形状）の金属体からなり、プローブ本体部（本体部）に対し、動かないように固着され一体となっていた。このため、プローブヘッド（ヘッド部）を、肌に接触させつつ肌の表面に沿って移動させると、プローブヘッド（ヘッド部）と肌との間に摩擦が生じ、この摩擦によって肌を傷めてしまう虞があった。
【０００５】
本発明は、かかる現状に鑑みてなされたものであって、ヘッド部と肌との間に生じる摩擦を抑制することができ、肌を傷めてしまう虞のない超音波美容器を提供することを目的とする。
【課題を解決するための手段】
【０００６】
その解決手段は、肌に接触して肌に超音波を伝えるヘッド部を備える超音波美容器であって、上記ヘッド部は、肌に沿って転がり回転可能に設けられてなる超音波美容器である。
【０００７】
本発明の超音波美容器は、ヘッド部が、肌に沿って転がり回転可能に設けられている。このため、ヘッド部と肌との間に生じる摩擦を抑制することができ、肌を傷めてしまう虞がない。
なお、本発明のヘッド部としては、例えば、円筒形状を有し、その中心軸の周りに回転可能に設けられたものが挙げられる。ヘッド部の形状は、円筒形状に限らず、球形状など、外表面が曲面によって形成され、回転可能に設けられていれば、好適に用いることができる。また、ヘッド部の外表面は、滑らかな曲面に限らず、ローレット状、凹凸の縞状など、凹凸を有していても良い。
【０００８】
さらに、上記の超音波美容器であって、前記ヘッド部は、その軸線周りに回転可能としてなる超音波美容器とすると良い。
【０００９】
本発明の超音波美容器は、ヘッド部を、その軸線周りに回転可能としている。これにより、ヘッド部を、適切に、肌に沿って転がり回転させることができる。
なお、本発明のヘッド部としては、例えば、軸線周りに回転可能とされた円柱（円筒）形状のものが挙げられる。また、円柱（円筒）形状に限らず、軸線方向中央に近づくにしたがって径大となるタル形状、逆に、軸線方向中央に近づくにしたがって径小となる鼓形状、略球形状、あるいは、複数の径大部が互いに径小部を介して連なるダンゴ形状など、軸線周りに対称な回転体形状であれば、好適に用いることができる。さらには、軸線周りに非対称な形状であっても良い。また、ヘッド部の外周面は、滑らかな曲面に限らず、外周面にローレット状、縞状などの凹凸が形成されていても良い。
【００１０】
さらに、上記の超音波美容器であって、前記ヘッド部は、外周面をなし、肌に接触する外側部材と、上記外側部材の内側に位置し、上記外側部材を超音波振動させる超音波振動子と、を備える超音波美容器とすると良い。
【００１１】
本発明の超音波美容器は、ヘッド部が、外周面をなし肌に接触する外側部材と、この外側部材の内側に位置し外側部材を超音波振動させる超音波振動子とを備えている。このような構成によれば、超音波振動子によって外側部材を好適に超音波振動させることができ、ひいては、肌に超音波振動を好適に伝えることができる。
【００１２】
なお、外側部材の材質としては、ステンレス鋼、銅、チタン等の金属材料のほか、シリコンゴム等のゴムや、ＰＴＦＥ、ナイロン等の樹脂などの有機材料、ゲルマニウム等の半導体、あるいは、セラミック、ガラス等の無機材料を用いることができる。
また、超音波振動子としては、例えば、圧電セラミック体（具体的には、ＰＺＴ（Ｐｂ（Ｚｒ，Ｔｉ）Ｏ3）、ＢａＴｉＯ3など）を用いることができる。
【００１３】
さらに、上記の超音波美容器であって、前記超音波振動子は、円筒形状を有する圧電セラミック体であり、前記外側部材は、円筒形状を有し、上記圧電セラミック体の外周を被覆してなる超音波美容器とすると良い。
【００１４】
本発明の超音波美容器は、超音波振動子が、円筒形状の圧電セラミック体であり、円筒形状の外側部材が、この圧電セラミック体の外周を被覆している。このような構成によれば、外側部材を好適に超音波振動させることができ、ひいては、肌に超音波振動を好適に伝えることができる。なお、外側部材の外周面は、滑らかな曲面の円筒形状に限らず、ローレット状、縞状などの凹凸が形成されているものも含む。
本発明の圧電セラミック体として、外周面及び内周面に、それぞれ電極層が形成されているものを好適に用いることができる。この場合、外側部材は、圧電セラミック体の外周面に形成された電極層側を被覆するように設けられる。また、円筒形状の圧電セラミック体の外周を好適に被覆するためには、外側部材として、シリコンゴム等の弾性体を用いるのが良い。
【００１５】
あるいは、前記の超音波美容器であって、前記外側部材は、筒形状の筒状外側部材であり、前記超音波振動子は、上記筒状外側部材の内周面に対し、前記軸線周りに分配して固着してなる複数の圧電セラミック板である超音波美容器とすると良い。
【００１６】
筒形状の筒状外側部材の内周面に対し超音波振動子を固着するには、超音波振動子を、筒状外側部材の内周面の形状に適合した筒形状とすることが考えられる。しかしながら、超音波振動子として筒形状の圧電セラミック体を製造するのは容易でない。
これに対し、本発明の超音波美容器では、超音波振動子として、筒状外側部材の内周面に対し、軸線周りに分配して固着した複数の圧電セラミック板を用いている。このような圧電セラミック板は、筒形状の圧電セラミック体に比して、製造（成形）が容易となるので、コストを抑制できる。
【００１７】
本発明の圧電セラミック板の形状は、外側部材の内周面の形状に適合する形状とすれば良い。例えば、外側部材の内周面が円筒形状の場合には、圧電セラミック板の形状は、円筒を軸線周りに分割した断面円弧状の形状とすると良い。また、外側部材の内周面に複数の平面部を形成した場合には、この平面部に適合する平板形状の圧電セラミック板を用いることができる。
【００１８】
なお、本発明の圧電セラミック板として、外側面に外側電極層を有し、内側面に内側電極層を有するものを、好適に用いることができる。この場合、複数の圧電セラミック板は、筒状外側部材の内周面に対し、軸線周りに分配して、それぞれ外側電極層側で固着される。このような圧電セラミック板は、筒形状の圧電セラミック体に比して、外側電極層及び内側電極層を形成することが容易となり、好ましい。
【００１９】
さらに、上記の超音波美容器であって、前記筒状外側部材の内周面は、前記軸線周りに形成された複数の平面部を有し、前記圧電セラミック板は、平板形状を有し、上記筒状外側部材の内周面のうち上記平面部に固着されてなる超音波美容器とすると良い。
【００２０】
本発明の超音波美容器は、筒状外側部材の内周面が、軸線周りに形成された複数の平面部を有しており、圧電セラミック板として、平板形状のものを用いている。平板形状の圧電セラミック板は、他の形状の圧電セラミック板に比して、製造（成形）容易で、安価であり、寸法精度も良好となる。また、外側部材への固着も容易となる。このため、ヘッド部を、容易に且つ適切に製造することができ、コストをより一層抑制できる。
【００２１】
さらに、上記いずれかの超音波美容器であって、前記ヘッド部は、前記軸線の位置に、前記外側部材及び前記超音波振動子から上記軸線方向外側に突出して設けられた回転軸部材を有し、上記回転軸部材は、導体からなり、上記軸線方向のうち第１軸線方向に突出する第１回転軸部材と、導体からなり、上記第１回転軸部材と電気的に絶縁され、上記第１軸線方向とは逆方向の第２軸線方向に突出する第２回転軸部材と、を含み、上記第１回転軸部材は、前記超音波振動子に設けられた一方の電極と接続し、上記第２回転軸部材は、上記超音波振動子に設けられた他方の電極と接続してなる超音波美容器とすると良い。
【００２２】
本発明の超音波美容器は、ヘッド部が、導体からなり外側部材及び超音波振動子から第１軸線方向に突出する第１回転軸部材と、導体からなり第１軸線方向とは逆方向の第２軸線方向に突出する第２回転軸部材とを有している。さらに、この第１回転軸部材と第２回転軸部材とは電気的に絶縁されており、第１回転軸部材は超音波振動子に設けられた一方の電極と接続し、第２回転軸部材は超音波振動子に設けられた他方の電極と接続している。このように、ヘッド部の回転軸部材を、超音波振動子の電極の接続端子としても用いることにより、肌と接触する外側部材を肌に沿って転がり回転させつつ、発振回路からの出力を超音波振動子の電極に容易に伝えることができ、ひいては、外側部材を適切に超音波振動させることができる。
【発明を実施するための最良の形態】
【００２３】
次に、本発明の実施例について、図面を参照しつつ説明する。
【実施例１】
【００２４】
まず、実施例１にかかる超音波美容器１００について、図１〜図３を参照しつつ説明する。図１（ａ）は、本実施例１にかかる超音波美容器１００の要部を示す斜視図である。超音波美容器１００は、本体部１３０と、ヘッド部１１０と、ヘッドカバー１２０と、接続コード１４０とを有している。
ヘッド部１１０は、図２に示すように、略円柱形状のローラ部１１０ｂと、軸線Ｃの位置において、ローラ部１１０ｂから互いに逆方向に突出して設けられた第１回転軸部材１１３及び第２回転軸部材１１４とを有している。このヘッド部１１０は、図１（ｂ）に示すように、第１回転軸部材１１３及び第２回転軸部材１１４を本体部１３０に凹設された軸受部１３５内に配置した状態で、ヘッドカバー１２０を本体部１３０に着設することにより、第１，第２回転軸部材１１３，１１４の周りに回転自在に設けられている。
【００２５】
このような構成によれば、本体部１３０を把持して、ヘッド部１１０を肌に接触させつつ肌に沿って移動させると、ヘッド部１１０が、第１，第２回転軸部材１１３，１１４の周りに回転する形態で、肌に沿って転がって移動する。
【００２６】
ローラ部１１０ｂは、図２（ａ）に示すように、外側から順に、外側部材１１２、超音波振動子１１１、振動子固定部材１１５を有している。超音波振動子１１１は、圧電セラミック体（具体的には、ＰＺＴ）からなり、円筒形状を有している。この超音波振動子１１１の外周面には、Ａｇからなる第１電極層１１７が形成されており、内周面には、Ａｇからなる第２電極層１１８が形成されている。この超音波振動子１１１は、その厚さ方向（径方向）に分極されている。外側部材１１２は、円筒形状のシリコンゴムからなり、超音波振動子１１１の外周面（第１電極層１１７）を被覆するように設けられている。
【００２７】
振動子固定部材１１５は、電気絶縁性の樹脂（例えば、ＡＢＳ樹脂）からなる筒体で、その中心軸の位置に軸孔１１５ｃが形成されており、外周面には４つの凸状部１１５ｂが周方向に等間隔に設けられている。この振動子固定部材１１５は、超音波振動子１１１の内側に配置され、軸孔１１５ｃを軸線Ｃに一致させている。なお、振動子固定部材１１５には、軸線方向に亘ってスリット１１５ｆが形成されているため（図３参照）、後述するように、軸孔１１５ｃ内に第１，第２回転軸部材１１３，１１４を圧入したとき、振動子固定部材１１５が破断するのを防止すると共に、第１，第２回転軸部材１１３，１１４をバネ性をもって保持することができる。
【００２８】
さらに、振動子固定部材１１５と超音波振動子１１１（第２電極層１１８）との間には、ウレタンゴムからなる充填材１１６を充填配置している。この充填材１１６により、超音波振動子１１１は、振動子固定部材１１５に対し隙間なく固定される。
【００２９】
第１，第２回転軸部材１１３，１１４は、図２（ｂ）に示すように、丸棒形状のステンレス鋼からなり、それぞれ、振動子固定部材１１５の軸孔１１５ｃ内に、締まり嵌め状態で圧入されている。なお、第１回転軸部材１１３と第２回転軸部材１１４とは、接触することなく電気的に絶縁されている。さらに、図３に示すように、第１回転軸部材１１３は、導線１１３ｂによって、第１電極層１１７に電気的に接続されている。同様に、第２回転軸部材１１４は、導線１１４ｂによって、第２電極層１１８に電気的に接続されている。
【００３０】
なお、本実施例１では、外側の第１電極層１１７の一部を、第２電極層１１８と電気的絶縁を図りつつ超音波振動子１１１の内周面にまで延設しており（この部分を第１電極延設部１１７ｂとする）、この第１電極延設部１１７ｂと第１回転軸部材１１３とを導線１１３ｂによって電気的に接続している。このようにすることで、円筒形状の外側部材１１２を、超音波振動子１１１の外周（第１電極層１１７）に密着して被覆させることができる。
【００３１】
図１（ｂ）に示すように、本体部１３０には、第１端子部材１３３及び第２端子部材１３４が設けられている。具体的には、第１端子部材１３３及び第２端子部材１３４は、ヘッド部１１０の第１，第２回転軸部材１１３，１１４を本体部１３０の軸受部１３５内に配置すると、第１端子部材１３３が第１回転軸部材１１３と接触する位置に、第２端子部材１３４が第２回転軸部材１１４と接触する位置に、それぞれ設けられている。このような構成によれば、第１，第２回転軸部材１１３，１１４は、回転しつつも、第１，第２端子部材１３３，１３４と電気的接続を維持することができる。
【００３２】
さらに、第１，第２端子部材１３３，１３４は、導線１３３ｂ，１３４ｂ及びこれらと接続する接続コード１４０を介して、図示しない公知の超音波発振回路と電気的に接続されている。このような超音波美容器１００では、図示しない超音波発振回路からの出力信号を、第１，第２端子部材１３３，１３４を通じてヘッド部１１０の第１，第２回転軸部材１１３，１１４に伝達することができる（図１（ｂ）参照）。さらに、第１，第２回転軸部材１１３，１１４に伝達された出力信号は、導線１１３ｂ，１１４ｂを通じて第１，第２電極１１７，１１８に伝達することができる（図３参照）。これにより、超音波振動子１１１を超音波振動させることができ、ひいては外側部材１１２を超音波振動させることができる。
【００３３】
以上より、本実施例１にかかる超音波美容器１００は、図示しない超音波発生装置からの出力により超音波振動子１１１を超音波振動させた状態で、ヘッド部１１０の外側部材１１２を肌に接触させつつ肌に沿って移動させると、ヘッド部１１０（外側部材１１２）が肌に沿って転がって移動する。このため、肌に超音波振動を伝達することができる上に、ヘッド部１１０（外側部材１１２）と肌との間に生じる摩擦を抑制することができ、肌を傷めてしまう虞がない。
【実施例２】
【００３４】
次に、実施例２にかかる超音波美容器２００について説明する。本実施例２の超音波美容器２００は、図１（ａ）に示すように、実施例１の超音波美容器１００と比較して、ヘッド部１１０をヘッド部２１０に変更した点が異なり、その他の部分については同様である。従って、ここでは、ヘッド部２１０について説明する。
【００３５】
実施例１のヘッド部１１０では、円筒形状の超音波振動子１１１を用いたが、本実施例２のヘッド部２１０では、図４に示すように、円筒を８分割した断面円弧状を有する板状の圧電セラミック板２１１ｂ〜２１１ｉからなる超音波振動子２１１を用いている。具体的には、８個の圧電セラミック板２１１ｂ〜２１１ｉを、それぞれ、筒状の外側部材２１２の内周面に対し、軸線Ｃの周りに分配して接着している。なお、圧電セラミック板２１１ｂ〜２１１ｉは、圧電セラミック（具体的には、ＰＺＴ）からなり、それぞれ、その外側面にはＡｇからなる第１電極層２１７が形成されており、内側面にはＡｇからなる第２電極層２１８が形成されている。このように、超音波振動子２１１として、複数の圧電セラミック板２１１ｂ〜２１１ｉを用いることにより、実施例１の筒形状の圧電セラミック体からなる超音波振動子１１１に比して、製造（成形）が容易となり、さらには、第１，第２電極層の形成が容易となるので、コストを抑制できる。
【００３６】
なお、図４において、図示を省略しているが、本実施例２においても、実施例１と同様に、超音波振動子２１１の内側には、電気絶縁性の樹脂（例えば、ＡＢＳ樹脂）からなる振動子固定部材が配置されており、その軸孔内には、第１，第２回転軸部材１１３，１１４が締まり嵌め状態で圧入されている。さらに、図示を省略しているが、この振動子固定部材と超音波振動子２１１との間には、ウレタンゴムからなる充填材を充填配置している。
【００３７】
また、本実施例２では、外側部材２１２を、円筒形状のステンレス鋼によって形成している。このため、図４（ａ）に示すように、圧電セラミック板２１１ｂ〜２１１ｉを外側部材２１２に接着することにより、外側部材２１２と圧電セラミック板２１１ｂ〜２１１ｉの第１電極層２１７とは、電気的に接続される。従って、図４（ｂ）に示すように、第２回転軸部材１１４は、それぞれの圧電セラミック板２１１ｂ〜２１１ｉの第２電極層２１８に対し、導線１１４ｂによって接続しなければならないが、第１回転軸部材１１３は、導線１１３ｂによって外側部材２１２の上端面２１２ｂと接続することにより、圧電セラミック板２１１ｂ〜２１１ｉのすべての第１電極層２１７と電気的に接続することができる。
【実施例３】
【００３８】
次に、実施例３にかかる超音波美容器３００について説明する。本実施例３の超音波美容器３００は、図１（ａ）に示すように、実施例１の超音波美容器１００と比較して、ヘッド部１１０をヘッド部３１０に変更した点が異なり、その他の部分については同様である。従って、ここでは、ヘッド部３１０について説明する。
【００３９】
実施例１のヘッド部１１０では、円筒形状の外側部材１１２を用いたが（図２参照）、本実施例３のヘッド部３１０では、図５に示すように、内周面が断面正八角形をなす８個の平面部３１２ｃからなる外側部材３１２を用いている。このため、本実施例３では、超音波振動子３１１として、平面部３１２ｃに適合する矩形平板形状の圧電セラミック板３１１ｂ〜３１１ｉ（具体的には、ＰＺＴ）を用いることができ、これらを外側部材１１２の平面部３１２ｃ（内周面）に接着している。このような矩形平板形状の圧電セラミック板３１１ｂ〜３１１ｉは、他の形状の圧電セラミック板に比して、製造（成形）容易で、安価であり、寸法精度も良好となる。また、外側部材３１２への接着（固着）も容易となる。このため、実施例１，２に比して、コストを抑制できる。なお、超音波振動子３１１をなす圧電セラミック板３１１ｂ〜３１１ｉは、それぞれ、その外側面にはＡｇからなる第１電極層２１７が形成されており、内側面にはＡｇからなる第２電極層２１８が形成されている。
【００４０】
なお、図５において、図示を省略しているが、本実施例３においても、実施例１と同様に、超音波振動子３１１（圧電セラミック板３１１ｂ〜３１１ｉ）の内側には、電気絶縁性の樹脂（例えば、ＡＢＳ樹脂）からなる振動子固定部材が配置されており、その軸孔内には、第１，第２回転軸部材１１３，１１４が締まり嵌め状態で圧入されている。さらに、図示を省略しているが、この振動子固定部材と超音波振動子３１１との間には、ウレタンゴムからなる充填材を充填配置している。
【００４１】
また、本実施例３では、実施例２と同様に、外側部材３１２を、ステンレス鋼によって形成している。このため、図５（ａ）に示すように、圧電セラミック板３１１ｂ〜３１１ｉを外側部材３１２に接着することにより、外側部材３１２と圧電セラミック板３１１ｂ〜３１１ｉの第１電極層３１７とは、電気的に接続される。従って、図５（ｂ）に示すように、第２回転軸部材１１４は、それぞれの圧電セラミック板３１１ｂ〜３１１ｉの第２電極層３１８に対し、導線１１４ｂによって接続しなければならないが、第１回転軸部材１１３は、導線１１３ｂによって外側部材３１２の上端面３１２ｂと接続することにより、圧電セラミック板３１１ｂ〜３１１ｉのすべての第１電極層３１７と電気的に接続することができる。
【００４２】
以上において、本発明を実施例１，２，３に即して説明したが、本発明は上記実施例に限定されるものではなく、その要旨を逸脱しない範囲で、適宜変更して適用できることはいうまでもない。
例えば、実施例１〜３では、外側部材１１２，２１２，３１２の外周面を、滑らかな円筒曲面としたが、ローレット状、凹凸の縞状など、凹凸を形成するようにしても良い。
また、実施例２では、超音波振動子２１１を、円筒を８分割した形状としたが、４分割、６分割等、複数であればいくつに分割しても良い。
【００４３】
また、実施例３では、外側部材３１２の内周面を、軸線周りに均等に形成された８個の平面部３１２ｃによって形成したが、平面部は複数であればいくつであっても良く、また、これらの平面部を均等に形成しなくても良い。また、内周面全体を平面部によって形成したが、平板形状の超音波振動子を固着できる平面部を有していれば良く、平面部と曲面部とによって内周面を形成するようにしても良い。
【００４４】
また、実施例２，３では、外側部材２１２，３１２をステンレス鋼によって形成したが、ステンレス鋼に限らず、銅、チタン等の他の金属部材によって形成するようにしても良い。あるいは、ゲルマニウム等の半導体、あるいは、セラミック、ガラス等の無機材料によって形成するようにしても良い。さらには、外側部材２１２，３１２の外周面を被覆するように、円筒形状のシリコンゴム等を設けるようにしても良い。
また、実施例１では、外側部材１１２をシリコンゴムによって形成したが、シリコンゴムにトルマリン等を含有させても良い。
【図面の簡単な説明】
【００４５】
【図１】実施例１にかかる超音波美容器１００の要部を示す図であり、（ａ）はその斜視図、（ｂ）は側面視断面図（ヘッドカバー１２０を透視している）である。
【図２】実施例１にかかるヘッド部１１０を示す図であり、（ａ）は側面図、（ｂ）は正面図である。
【図３】実施例１にかかるヘッド部１１０の分解斜視図（超音波振動子１１１は斜視断面図としている）である。
【図４】実施例２にかかるヘッド部２１０を示す図であり、（ａ）は側面図、（ｂ）は斜視断面図である。
【図５】実施例３にかかるヘッド部３１０を示す図であり、（ａ）は側面図、（ｂ）は斜視断面図である。
【符号の説明】
【００４６】
１００，２００，３００  超音波美容器
１１０，２１０，３１０  ヘッド部
１１１，２１１，３１１  超音波振動子（圧電セラミック体、圧電セラミック板）
１１２，２１２，３１２  外側部材
１１３  第１回転軸部材
１１４  第２回転軸部材
１１７，２１７，３１７  第１電極層（外側電極層）
１１８，２１８，３１８  第２電極層（内側電極層）
【図１】
2005211202.tif 000003
【図２】
2005211202.tif 000004
【図３】
2005211202.tif 000005
【図４】
2005211202.tif 000006
【図５】
2005211202.tif 000007